(57)【要約】一定の幅と高さを有する背面本体５と、この背面本体５に対して左右にそれぞれ一定の幅と奥行きと高さを有し、かつ、開閉可能に設けられた左、右本体７、９と、からなるツリーボックス３１に、前記背面本体５の前面における下部に電源４７、基板４５および発光部４９を備えた駆動部３３を設け、この駆動部３３の上部に多数の光ファイバ４３を立設せしめたツリー部４１を設け、前記背面本体５と左、右本体７、９の各前面にミラー５９を設けている。【特許請求の範囲】
【請求項１】
装飾用ツリー装置が、以下を含む：
ボックスであって、一定の幅と高さを有する背面本体と、この背面本体に対して左右にそれぞれ一定の幅と奥行きと高さを有し、かつ、開閉可能に設けられた左本体及び右本体とを有する；
前記背面本体の前面における下部に配設される駆動部であって、該駆動部は、電源、基板および発光部を有する；及び
前記駆動部の上部に設けられるツリー部であって、該ツリー部は、多数の光ファイバを立設せしめて構成されている；
上記構成において、
前記ボックスを構成する前記背面本体、前記左本体及び前記右本体の各前面にミラーが設けてある。
【請求項２】
請求項１に記載の装飾用ツリー装置が、更に以下を含む：
前記駆動部の上部に立設され、上下方向へ延伸した支柱；及び
前記支柱の上端部に設けられる装飾部。
【請求項３】
請求項２に記載の装飾用ツリー装置において、
前記各光ファイバの先端の光の色を変更可能にすべく、前記発光部にフオーシーズン用の切換スイッチ部が接続されている。
【請求項４】
請求項３に記載の装飾用ツリー装置において、
前記各ミラーの部分に差し替え可能なフオーシーズン用ボードを備えている。
【請求項５】
装飾用ボックスが、以下を含む：
ボックスであって、一定の幅と高さを有する背面本体と、この背面本体に対して左右にそれぞれ一定の幅と奥行きと高さを有し、かつ、開閉可能に設けられた左本体及び右本体とを有する；
前記背面本体の前面における下部に配設される駆動部であって、該駆動部は、電源、基板および発光部を有する；及び
前記駆動部の上部に設けられる装飾部であって、前記発光部からの光により装飾される；
上記構成において、
前記駆動部が、前記背面本体に着脱自在に設けられている。
【請求項６】
請求項５に記載の装飾ボックス用において、
前記ボックスを構成する前記左本体及び前記右本体の各々にハーフミラーが設けてある；及び
前記ハーフミラーは、外側から、前記駆動部の上部に設けられる前記装飾部及び前記駆動部を可視できるように設けられている。
【請求項７】
請求項５に記載の装飾ボックス用において、
前記ボックスを構成する前記背面本体、前記左本体及び前記右本体の各内面に写真を入れる窓が設けられている。
【請求項８】
請求項５に記載の装飾ボックス用において、
前記ボックスを構成する前記背面本体、前記左本体及び前記右本体の各外面に写真を入れる窓が設けられている。
【発明の詳細な説明】
【技術分野】
【０００１】  本発明は、装飾用ツリー装置及び装飾用ボックスに係り、さらに詳しくは、クリツマスツリーだけでなく、四季に応じたツリーで、しかも、イルミネーションの見栄えを向上させた装飾用ツリー装置及び装飾用ボックスに関する。
【背景技術】
【０００２】  従来、装飾用ツリー装置としては、例えば樹幹内にモータ、連結板、カラー・ホイール、光源及び固定筒などの部材が設けられている。そして、前記樹幹の下端部に固定座を固結して床面に立たせ、樹幹の周囲には多数の枝が分岐されている。前記固定筒は、その筒体上端縁を拡径してフランジ部に形成され、筒体を樹幹上端開口より挿入してフランジ部を開口周縁が支承して定位させ、筒体内に軸沿い上向きに鉛線支柱を固設して、支柱外周囲に多数の光ファイバ束を周設し、且つそれら光ファイバ束から延伸して枝にも光ファイバ束を設けて、それぞれに複数のランプを連結して発光させるものが知られている。上述先行例は、日本国特許公報、特開２００２−１０９９０６号に開示されている。【０００３】  また、出願人は今までにツリーボックスを折り畳み可能にし、しかも、ツリーボックス内にクリスマスツリー部を収納したものも開発を進めてきている。【０００４】  ところで、上述した従来の特許文献１に示された装飾用ツリー装置は、ほとんどクリスマスツリーであって、クリスマスの時しか使用されていないと共に持ち運び可能な構造にはなってはいるが、持ち運び易さの面ではまだ不充分であった。【０００５】  従来のツリーボックスを折り畳み可能にしたものは、上記のものと同様にクリスマスツリーであって、クリスマスの時しか使用されていないと共に立体感を持たせる点でまだ不充分であった。【０００６】  本発明は上述の課題を解決するためになされたもので、その目的は、クリツマスツリーだけでなく四季に応じたツリーであって、しかも、イルミネーションの見栄え、持ち運び易さを向上させた装飾用ツリー装置及び装飾用ボックスを提供することにある。
【発明の開示】
【０００７】  上記目的を達成するために、本発明の第１アスペクトに基く装飾用ツリー装置は、以下を備えている：ボックスであって、一定の幅と高さを有する背面本体と、この背面本体に対して左右にそれぞれ一定の幅と奥行きと高さを有し、かつ、開閉可能に設けられた左本体及び右本体とを有する；前記背面本体の前面における下部に配設される駆動部であって、該駆動部は、電源、基板および発光部を有する；及び前記駆動部の上部に設けられるツリー部であって、該ツリー部は、多数の光ファイバを立設せしめて構成されている；上記構成において、前記ボックスを構成する前記背面本体、前記左本体及び前記右本体の各前面にミラーが設けてある。
【０００８】  従って、前記第１アスペクトに基く装飾用ツリー装置によれば、背面本体と、この背面本体に対して左右にそれぞれ開閉可能に設けられた左、右本体と、からなるツリーボックスとなっているから、電源、基板および発光部を備えた駆動部、多数の光ファイバのツリー部および各ミラーをツリーボックス内に収納せしめることができる。そして、不使用時には背面本体に対して左、右本体が閉められてツリーボックスがブック型のようにコンパクトとなり、持ち運びが楽で移動を簡単に行うことができる。使用時には背面本体に対して左、右本体が開けられ、しかも、各ミラーが背面本体と左、右本体の各前面に設けられているので、多数の光ファイバのツリー部が各ミラーに写り、立体的な感覚に写り出されて見栄えのよいものとすることができる。
【０００９】  前記第１アスペクトから従属する本発明の第２アスペクトに基く装飾用ツリー装置は、前記構成において、更に以下を含む：前記駆動部の上部に立設され、上下方向へ延伸した支柱；及び前記支柱の上端部に設けられる装飾部。
【００１０】  従って、前記第２アスペクトに基く装飾用ツリー装置によれば、前記駆動部の上部に上下方向へ延伸された支柱が立設されていると共にこの支柱の上端部に装飾部が設けられているから、さらに、装飾効果を発揮させることができる。
【００１１】  前記第１アスペクト又は前記第２アスペクトから従属する本発明の第３アスペクトに基く装飾用ツリー装置は、前記構成において、前記各光ファイバの先端の光の色を変更可能にすべく、前記発光部にフオーシーズン用の切換スイッチ部が接続されている。
【００１２】  従って、前記第３アスペクトに基く装飾用ツリー装置によれば、前記各光ファイバの先端の光の色を変更可能にすべく、前記発光部にフオーシーズン用の切換スイッチ部が接続されているから、切換スイッチ部を切り換えることで、フオーシーズン用のツリーにすることができ、フオーシーズン楽しむことができる。
【００１３】  前記第１アスペクト乃至前記第３アスペクトの何れか１つのアスペクトから従属する本発明の第４アスペクトに基く装飾用ツリー装置は、前記構成において、前記各ミラーの部分に差し替え可能なフオーシーズン用ボードを備えている。
【００１４】  従って、前記第４アスペクトに基く装飾用ツリー装置によれば、前記各ミラーの部分に差し替え可能なフオーシーズン用ボードを備えているから、フオーシーズン毎にフオーシーズン用ボードを差し替えることで、変化を楽しむことができる。
【００１５】  本発明の第５アスペクトに基く装飾用ボックスは、以下を備えてる：ボックスであって、一定の幅と高さを有する背面本体と、この背面本体に対して左右にそれぞれ一定の幅と奥行きと高さを有し、かつ、開閉可能に設けられた左本体及び右本体とを有する；前記背面本体の前面における下部に配設される駆動部であって、該駆動部は、電源、基板および発光部を有する；及び前記駆動部の上部に設けられる装飾部であって、前記発光部からの光により装飾される；上記構成において、前記駆動部が、前記背面本体に着脱自在に設けられている。
【００１６】  従って、前記第５アスペクトに基く装飾用ボックスによれば、メンテナンス、掃除、及び日常の駆動部の操作が容易である。
【００１７】  前記第５アスペクトから従属する本発明の第６アスペクトに基く装飾用ボックスは、前記構成において、前記ボックスを構成する前記左本体及び前記右本体の各々にハーフミラーが設けてある；及び前記ハーフミラーは、外側から、前記駆動部の上部に設けられる前記装飾部及び前記駆動部を可視できるように設けられている。
【００１８】  従って、前記第６アスペクトに基く装飾用ボックスによれば、ボックスを閉じた状態でもイルミネーションを鑑賞することができる。
【００１９】  前記第５アスペクト又は前記第６アスペクトから従属する本発明の第７アスペクトに基く装飾用ボックスは、前記構成において、前記ボックスを構成する前記背面本体、前記左本体及び前記右本体の各内面に写真を入れる窓が設けられている。
【００２０】  前記第５アスペクト乃至前記第７アスペクトの何れか１つのアスペクトから従属する本発明の第８アスペクトに基く装飾用ボックスは、前記構成において、前記ボックスを構成する前記背面本体、前記左本体及び前記右本体の各外面に写真を入れる窓が設けられている。
【００２１】  従って、前記第７及び第８アスペクトに基く装飾用ボックスによれば、イルミネーションとして利用できる他、写真たてとしても利用することができる。
【図面の簡単な説明】
【００２２】
【図１】図１は、本発明の一実施例に係る装飾用ツリー装置のツリーボックスが開いた状態の斜視図である。
【図２】図２は、本発明の装飾用ツリー装置のツリーボックスが閉じた状態の斜視図である。
【図３】図３は、本発明の装飾用ツリー装置の側面断面図である。
【図４】図４は、図３における平面断面図てある。
【図５】図５は、図３における背面図てある。
【図６】図６は、図３における正面図てある。
【図７】図７は、フオーシーズン用ボードの斜視図である。
【図８】図８は、フオーシーズン用ボードを各ミラーに取り付けた装飾用ツリー装置のツリーボックスが開いた状態の斜視図である。
【図９】図９は、本発明の第２の実施例に係る装飾用ボックスが開いた状態の斜視図である。
【図１０】図１０は、本発明の前記別の実施例に係る装飾用ボックスが開いた状態を分解して示している斜視図である。
【図１１】図１１は、本発明の第３の実施例に係る装飾用ボックスが開いた状態の斜視図である。
【図１２】図１２は、本発明の第４の実施例に係る装飾用ボックスの斜視図である。
【図１３】図１３は、本発明の第５の実施例に係る装飾用ボックスの斜視図である。
【図１４】図１４は、本発明の第６の実施例に係る装飾用ボックスの内部の部品を分解した状態で示している斜視図である。
【発明を実施するための最良の形態】
【００２３】  以下、本発明の最良の実施例を図１〜図１４に基づいて説明する。【００２４】  図１〜図６を参照するに、装飾用ツリー装置１は、ツリーボックス３を備えている。そして、図１に示したように開かれた状態と、図２に示したように閉められた状態となる。すなわち、不使用時には図２に示したように閉められた状態でブック型の構造となり、持ち運びが楽で移動を容易にでき、例えば本箱などに収納されて保管せしめることができる。また、使用時には図１に示したように開かれた状態で観賞用として例えば机やテーブル上に置かれて観賞することができる。【００２５】  前記ツリーボックス３は、一定の幅ｄ１が例えば３５ｍｍを有すると共に高さｈ１が例えば２５７ｍｍを有した背面本体５を備えている。この背面本体５に対して左に一定の幅ｄ２が例えば１／２ｄ１、奥行きが例えばｅ１、高さがｈ１を有した左本体７を備えている。この左本体７は側面部７Ａとこの側面部７Ａの上端で内側に９０°折り曲げられた上面部７Ｂと前記側面部７Ａの下端で内側に９０°折り曲げられた下面部７Ｃと前記側面部７Ａの前端で内側に９０°折り曲げられた正面部７Ｄとが一体化されて構成されている。【００２６】  さらに、この背面本体５に対して左に一定の幅ｄ３が例えば１／２ｄ１、奥行きが例えばｅ１、高さがｈ１を有した右本体９を備えている。この右本体９は側面部９Ａとこの側面部９Ａの上端で内側に９０°折り曲げられた上面部９Ｂと前記側面部９Ａの下端で内側に９０°折り曲げられた下面部９Ｃと前記側面部９Ａの前端で内側に９０°折り曲げられた正面部９Ｄとが一体化されて構成されている。【００２７】  前記背面本体５の上、下部と前記左本体７における側面部７Ａの後部の上、下部とがそれぞれ蝶番１１で接続されていると共に前記背面本体５の上、下部と前記右本体９における側面部９Ａの後部の上、下部とがそれぞれ蝶番１３で接続されている。前記左本体７における上面部７Ｂと正面部７Ｄとの角部の内側には９０°に折り曲げられた一体の支持部１５が一体化されている。また、同様に、前記左本体７における下面部７Ｃと正面部７Ｄとの角部の内側には９０°に折り曲げられた一体の支持部１７が一体化されている。【００２８】  前記左本体７における上面部７Ｂの高さ方向のほぼ中央部は凹み部１９を有しており、この凹み部１９の右側寄りには凸部２１が形成されている。右本体９における上面部９Ｂの高さ方向のほぼ中央部は前記凹み部１９と係合する穴２３を有した取っ手２５を有している。【００２９】  上記構成により、前記背面本体５に対して左本体７、右本体９はそれぞれ蝶番１１、１３を支点として回動されるようになっているから、図１に示した開いた状態から、図１おいて矢印で示したごとく回動させると、図２、図４および図６に示したごとく閉じられる。そのとき、右本体９は左本体７に設けられた支持部１５、１７に案内されて閉じられ、しかも、凸部２１に取っ手２５の穴２３に係合してロックされることになる。【００３０】  而して、ブック型の構造となり、持ち運びが楽で移動を容易にでき、例えば本箱などに収納されて保管せしめることができる。【００３１】  開かせる場合には、例えば図６において、凸部２１より取っ手２５の��２３を外すことで、前記背面本体５に対して左本体７、右本体９がそれぞれ蝶番１１、１３を支点として回動されることで、図１に示したごとく例えば９０°の角度に開かせることができる。【００３２】  前記背面本体５の内面、左本体７における側面部７Ａの内面および右本体９における側面部９Ａの内面には、それぞれミラー２７、２９、３１が設けられている。図１、図３および図４に示されているように、前記背面本体５の前面における下部には駆動部３３が設けられている。すなわち、背面本体５の前面における下部には駆動ボックス３５が一体化されている。この駆動ボックス３５の奥側図３において右側の上部には半円弧形状の枠３７が上方向へ延びて立設されている。この枠３７には中空形状の筒体３９が設けられている。この筒体３９内にはツリー部４１を構成する上下方向へ延伸された多数の光ファイバ４３の下端が装着されている。しかも、この多数の光ファイバ４３の下端は前記筒体３９の下部に設けられた基板４５に接続されている。【００３３】  図３に示されているように、前記駆動ボックス３５内の例えば前側には電源としての電池４７が収納されている。前記基板４５の下方部には発光部としての例えばＬＥＤ回路４９が備えられている。このＬＥＤ回路４９の下部にはフオーシーズン用の切換スイッチ部５１が備えられている。この切換スイッチ部５１はツリーボックス３の外部に設けられていても構わない。前記枠３７の後部上部にはポール５３が立設されており、このポール５３には上下方向へ延伸された支柱５５の下部が装着されて立設されている。この支柱５５の上端には例え装飾部としての星形部５７が取り付けられている。また、電源としてＡＣ用のコードが設けられていてもよい。【００３４】  上記構成により、例えば電池４７でＬＥＤ回路４９が駆動されると、基板４５を介して多数の光ファイバ４３が通電される。その結果、多数の光ファイバ４３の先端が発光されることになる。例えばフオーシーズン用の切換スイッチ部５１にはフオーシーズン用のパターンが用意されており、例えば冬用のクリスマスツリーとして多数の光ファイバ４３の先端が例えば青、白色に発光し、クリスマスツリーを映し出すことができ、しかも、前記背面本体５の内面、左本体７における側面部７Ａの内面および右本体９における側面部９Ａの内面には、それぞれミラー２７、２９、３１が設けられているので、この各ミラー２７、２９、３１にもクリスマスツリーが映し出される。その結果、クリスマスツリーが立体的な感覚に写り出されて見栄えのよいものとすることができる。【００３５】  また、例えば春用の桜として多数の光ファイバ４３の先端が例えばピンク色に発光し、桜を映し出すことができ、しかも、前記背面本体５の内面、左本体７における側面部７Ａの内面および右本体９における側面部９Ａの内面には、それぞれミラー２７、２９、３１が設けられているので、この各ミラー２７、２９、３１にも桜が映し出される。その結果、桜が立体的な感覚に写り出されて見栄えのよいものとすることができる。【００３６】  また、例えば夏用の緑として多数の光ファイバ４３の先端が例えば緑色に発光し、緑を映し出すことができ、しかも、前記背面本体５の内面、左本��７における側面部７Ａの内面および右本体９における側面部９Ａの内面には、それぞれミラー２７、２９、３１が設けられているので、この各ミラー２７、２９、３１にも緑が映し出される。その結果、緑が立体的な感覚に写り出されて見栄えのよいものとすることができる。【００３７】  さらに、例えば秋用の落ち葉として多数の光ファイバ４３の先端が例えばダイダイ色に発光し、落ち葉を映し出すことができ、しかも、前記背面本体５の内面、左本体７における側面部７Ａの内面および右本体９における側面部９Ａの内面には、それぞれミラー２７、２９、３１が設けられているので、この各ミラー２７、２９、３１にも落ち葉が映し出される。その結果、落ち葉が立体的な感覚に写り出されて見栄えのよいものとすることができる。【００３８】  したがって、切換スイッチ部５１を切り換えることで、フオーシーズン用のツリーにすることができ、フオーシーズン楽しむことができる。しかも、多数の光ファイバ４３は円周のうちの１／４である９０°の範囲に設けるだけで円周全体の３６０°の範囲を映し出すことができ、コストの低減を図ることができる。【００３９】  さらに、前記各ミラー２７、２９、３１の部分に差し替え可能なフオーシーズン用ボード５９が図７に示されているように用意しておく。すなわち、このフオーシーズン用ボード５９の大きさは各ミラー２７、２９、３１の大きさとほぼ同じ大きさのフオーシーズン用ボード５９Ａ、５９Ｂ、５９Ｃで一体化されている。このフオーシーズン用ボード５９Ａ、５９Ｂ、５９Ｃを図８に示されているように、各ミラー２７、２９、３１の前面に取り付けると四季対応の背景を変えることがことができ、イメージが変わって変化を楽しむことができる。しかも、フオーシーズン用ボード５９は例えば黒色からなっていて、フオーシーズン用ボード５９に絵、模様、文字、あるいはコマーシャルなどを書き込むことでさらにイメージアップを図ることができる。【００４０】  さらに、駆動ボックス３５の底面と左本体７の下面部７Ｃと右本体９の下面部９Ｃとの３面で例えば床面に接触して設置されているので安定感がある。【００４１】  次に、上述のように一部を改変した別の実施例の詳細を図面を参照して説明する。まず、図９、図１０に示すのは第２実施例である。尚、前述の第１実施例と同じ構成の部品には同じ符号を附し、一部を改変した部品には百番台にした同じ符号を附してある。そして、前記第１実施例と同じ構成の部品に関しては、以下の第２実施例乃至第６実施例において詳細な説明を省略する。【００４２】  まず、装飾用ボックス１０１のボックス本体１０３は、一定の幅と高さを有する背面本体１０５と、この背面本体に対して左右にそれぞれ一定の幅と奥行きと高さを有し、かつ、開閉可能に設けられた左本体１０７及び右本体１０９とを有する。前記左本体１０７は、側面部１０７Ａとこの側面部１０７Ａの上端で内側に９０°折り曲げられた上面部１０７Ｂと前記側面部１０７Ａの下端で内側に９０°折り曲げられた下面部１０７Ｃと前記側面部１０７Ａの前端で内側に９０°折り曲げられた正面部１０７Ｄとが一体化されて構成されている。【００４３】  前記右本体１０９も、同様に、側面部１０９Ａ、上面部１０��Ｂ、下面部１０９Ｃ及び正面部１０９Ｄとが一体化されて構成されている。そして、前記上面部１０９Ｂ、下面部１０９Ｃ及び正面部１０９Ｄとにより形成されるコの字形の外側の寸法は、前記左本体１０７の前記上面部１０７Ｂ、前記下面部１０７Ｃ及び前記正面部１０７Ｄとにより形成されるコの字形の内側の寸法と同じか、やや小さめに設けられている。従って、前記左本体１０７及び右本体１０９を回動して嵌合させることにより前記ボックス本体１０３を閉じて固定させることができる。【００４４】  尚、前記左本体１０７及び右本体１０９のコーナー部は、保護のため縁金１７５を嵌合することによりカバーされている。【００４５】  前記装飾用ボックス１０１は、図１０に示すように、前記背面本体１０５の下方部にマグネット式の凹形（凸形）の嵌合部材１６５が設けられている。そして前記嵌合部材１６５と対応する位置に凸形（凹形）の嵌合部材（図示を省略）が設けられている駆動部１３３が、前記背面本体１０５に固定されるのである。【００４６】  前記駆動部１３３は、枠１３７と、異なった色を発光する複数の発光ダイオード１６７と、切換えスイッチ部１５１及び発光ダイオードの発光を制御する制御部（図示を省略）を有している。従って、前記切換えスイッチ部１５１を適宜操作することにより、発光ダイオードの選択をして発光する色を変えることができる。【００４７】  前記枠１３７は、装飾部１４１を嵌合させるものであり、前記装飾部１４１の下端の筒部１６１と嵌合する。尚、前記装飾部１４１には係止１６３が形成されているため、前記枠１３７の上下方向の位置が決められる。更に前記装飾部１４１には、複数の光ファイバ１４３が束ねて固定されていて、外見はツリーのような形態を呈している。【００４８】  更に、前記ボックス本体１０３の中側には、ボード１５９が設けられている。前記ボード１５９は、切り欠き部１６９、１７１、１７３が形成されている。前記切り欠き部１６９は、前記嵌合部材１６５との干渉を回避するためのものである。一方、前記切り欠き部１７１、１７３は、前記装飾用ボックス１０１を写真たてとして利用するための窓である。従って、イルミネーションとして前記装飾用ボックス１０１を利用すると共に、同時に写真たてとしても利用することができる。第３の実施例として、前記駆動部１３３を前記ボックス本体１０３から取り外して図１１に示す状態にすれば、写真たて専用として利用することもできる。【００４９】  次に、本発明に基づく装飾用ボックス２０１の第４の実施例について図１２を参照して説明する。本実施例では、前記第２の実施例における左本体１０７及び右本体１０９を、中央にハーフミラー（マジックミラー）２７９を設けた左本体２０７及び右本体２０９により装飾用ボックス２０１を構成している。前記左本体２０７及び前記右本体２０９のハーフミラー（マジックミラー）２７９、２７９の各々の周囲にはフリル、又はレース２８１が装飾として縫い付けられている。【００５０】  一方、この実施例では、ボックス本体２０３の開閉を、ファスナー２７７により行うのである。このファスナー２７７を開放し、前記駆動部１３３の切換えスイッチ部１５１をオン状態に切換えた後、前記ファスナー２７７を閉じれば、イルミネーションを前記ハーフミラー（マジックミラー）２７９を介して鑑賞することができる。ボックス本体２０３を開放した状態であっても、前記ハーフミラー（マジックミラー）２７９は内側が完全なミラーであるため、中央に装飾部１４１を見ることができると共に、その両側においても装飾部１４１の虚像を見ることができ、同時に複数の装飾部１４１の像を見ることができる。【００５１】  さらに、本発明に基づく装飾用ボックス３０１の第５の実施例について図１３を参照して説明する。本実施例では、前記第４の実施例における前記左本体２０７及び前記右本体２０９に設けたハーフミラー（マジックミラー）２７９の換わりに、写真たてようの窓２８３を設けた左本体３０７及び右本体３０９により装飾用ボックス３０１を構成している。従って、装飾用ボックス３０１の前記ファスナー２７７を閉じた状態では、写真たてとして利用できる。また、前記ファスナー２７７を開いた状態では、前述の実施例のようにイルミネーションとして利用することができる。【００５２】  尚、この第５の実施例における左本体３０７及び右本体３０９の内側は、前記第１実施例と同様に全面にミラーを設けてもよいし、第４の実施例と同様に前記ボード１５９の中央部にミラーを設けてもよい。また、前記第２及び第３の実施例と同様に写真を前記ボード１５９の中央部に写真を入れるための窓を設けてもよい。【００５３】  そして、本発明に基づく装飾用ボックスの第６の実施例について図１４を参照して説明する。この実施例では、前記駆動部１３３の上に勘合する装飾部１４１を、バレンタインの季節に合わせてハート形状の装飾部４４１に組み替えることができるのである。前記装飾部４４１は、装飾本体４４３及びその下端に設けた筒部４６１とで構成され、前記枠１３７と勘合することにより前記駆動部１３３に固定される。前記装飾本体４４３は、中空に形成され、光を半分透過する素材により形成される。ここで、前記切換えスイッチ部１５１を操作して赤色の発光ダイオード１６７を選択的に発光させることにより、より一層、バレンタインのイメージを強調することができる。【００５４】  一方、別の実施例の装飾部５４１は、円筒状の装飾本体５４３及びその下端に設けた筒部５６１とで構成され、前記枠１３７と勘合することにより前記駆動部１３３に固定される。前記装飾本体５４３は、中空に形成され、光を透過する素材により形成される。さらに、木の葉形の模様は乱反射する素材を使用しているため、ここで、前記切換えスイッチ部１５１を操作して複数の色の発光ダイオード１６７を選択して連続的に発光させることにより、色が連続的に変化するイルミネーションのイメージを強調することができる。【００５５】  そして、前記装飾部５４１を取り外し、換わりに別の装飾部６４１を前記前記駆動部１３３に取り付けることもでる。この実施例の装飾部６４１は、星形状の装飾本体６４３及びその下端に設けた筒部６６１とで構成され、前記枠１３７と勘合することにより前記駆動部１３３に固定される。前記装飾本体６４３は、中空に形成され、光を透過する素材により形成される。さらに、木の葉形の模様は乱反射する素材を使用しているため、こ��で、前記切換えスイッチ部１５１を操作して複数の色の発光ダイオード１６７を選択して連続的に発光させることにより、色が連続的に変化するイルミネーションのイメージを強調することができる。【００５６】  上述のほか、本発明は、前述の発明の実施の形態の説明に限るものではなく、適宜の変更を行うことにより、その他種々の態様で実施可能である。【００５７】  なお、日本国特許出願第２００４−１１７８８７号（２００４年４月１３日出願）の全内容が、参照により、本願明細書に組み込まれている。
【図１】
2005100049.tif 000002
【図２】
2005100049.tif 000003
【図３】
2005100049.tif 000004
【図４】
2005100049.tif 000005
【図５】
2005100049.tif 000006
【図６】
2005100049.tif 000007
【図７】
2005100049.tif 000008
【図８】
2005100049.tif 000009
【図９】
2005100049.tif 000010
【図１０】
2005100049.tif 000011
【図１１】
2005100049.tif 000012
【図１２】
2005100049.tif 000013
【図１３】
2005100049.tif 000014
【図１４】
2005100049.tif 000015
【国際調査報告】
2005100049.tif 000016
2005100049.tif 000017